(57)【要約】【課題】  マーカのような位置検出用の仕組みを備えていないコイルユニットの位置、あるいはこのようなコイルユニットに含まれた複数の要素コイルのそれぞれの位置を正確に判定可能とする。【解決手段】  ＲＦコイルユニット６ｂとしては、被検体２００からの磁気共鳴信号をそれぞれ受信する複数の要素コイルが配列されたアレイコイルが用いられる。再構成部１３は、複数の要素コイルそれぞれで受信された複数の磁気共鳴信号に基づいて複数の要素コイルの配列方向についての各要素コイルの投影データをそれぞれ計算する。主制御部１７は、複数の要素コイルそれぞれの投影データに基づいて、複数の要素コイルそれぞれの位置あるいはＲＦコイルユニット６ｂの位置を判定する。【選択図】      図１
2008029834.tif 000002
【特許請求の範囲】
【請求項１】
被検体からの磁気共鳴信号をそれぞれ受信する複数の要素コイルが配列されたアレイコイルと、
前記複数の要素コイルそれぞれで受信された複数の磁気共鳴信号に基づいて前記複数の要素コイルの配列方向についての各要素コイルの投影データをそれぞれ計算する計算ユニットと、
前記複数の要素コイルそれぞれの前記投影データに基づいて、前記複数の要素コイルそれぞれの位置あるいは前記アレイコイルの位置を判定する判定ユニットとを具備したことを特徴とする磁気共鳴イメージング装置。
【請求項２】
被検体からの磁気共鳴信号をそれぞれ受信する複数の要素コイルが配列されたアレイコイルと、
前記複数の要素コイルそれぞれで受信された複数の磁気共鳴信号に基づいて前記複数の要素コイルの配列方向についての各要素コイルの投影データをそれぞれ計算する計算ユニットと、
前記複数の要素コイルそれぞれの投影データおよび前記複数の要素コイルの配列に関する既知の情報に基づいて、前記複数の要素コイルそれぞれの位置あるいは前記アレイコイルの位置を判定する判定ユニットとを具備したことを特徴とする磁気共鳴イメージング装置。
【請求項３】
前記判定ユニットは、
前記複数の要素コイルそれぞれの投影データに基づいて、前記複数の要素コイルそれぞれの位置を推定する推定ユニットと、
前記推定された複数の要素コイルそれぞれの位置を、前記複数の要素コイルの配列に関する物理的な数値に基づいてそれぞれ補正することにより前記複数の要素コイルそれぞれの位置あるいは前記アレイコイルの位置を判定する補正ユニットとをさらに具備することを特徴とする請求項２に記載の磁気共鳴イメージング装置。
【請求項４】
前記推定ユニットは、前記推定した複数の要素コイルそれぞれの位置に基づいて前記アレイコイルの前記配列方向の中心位置を推定し、
前記補正ユニットは、前記中心位置を前記物理的な数値に基づいて補正することにより前記要素コイルの位置を判定することを特徴とする請求項３に記載の磁気共鳴イメージング装置。
【請求項５】
前記推定ユニットは、前記複数の要素コイルそれぞれの投影データを閾値処理し、この閾値処理された複数の投影データの面積それぞれの中心を前記複数の要素コイルそれぞれの位置として推定することを特徴とする請求項３に記載の磁気共鳴イメージング装置。
【請求項６】
前記磁気共鳴イメージング装置は、複数の前記アレイコイルを互いに連結した状態で使用可能であり、
前記計算ユニットは、前記複数のアレイコイルに含まれる複数の要素コイルそれぞれに関して前記投影データを計算し、
前記判定ユニットは、前記複数の要素コイルそれぞれの前記投影データと前記複数のアレイコイルの連結状態とに基づいて前記複数のアレイコイルにそれぞれ含まれる前記複数の要素コイルそれぞれの位置あるいは前記複数のアレイコイルそれぞれの位置を判定することを特徴とする請求項２に記載の磁気共鳴イメージング装置。
【請求項７】
前記計算ユニットは、規定強度以上の磁気共鳴信号を受信できた要素コイルに関してのみ前記投影データを計算することを特徴とする請求項２に記載の磁気共鳴イメージング装置。
【請求項８】
前記判定ユニットは、前記複数の要素コイルそれぞれの前記投影データのうちの規定強度以上の磁気共鳴信号を受信できた要素コイルに関する前記投影データのみを前記判定に用いることを特徴とする請求項２に記載の磁気共鳴イメージング装置。
【請求項９】
前記計算ユニットおよび前記判定ユニットのうちの少なくとも１つは、傾斜磁場の非線形性あるいは静磁場の不均一性によるエラーの大きなデータは処理に使用しないことを特徴とする請求項２に記載の磁気共鳴イメージング装置。
【請求項１０】
前記判定ユニットは、傾斜磁場の非線形性あるいは静磁場の不均一性によるエラーの大きなデータに基づいて判定した位置を、傾斜磁場の非線形性あるいは静磁場の不均一性を考慮して補正することを特徴とする請求項２に記載の磁気共鳴イメージング装置。
【請求項１１】
前記判定ユニットによる判定結果に基づいて、ユーザーインターフェース上にてコイル位置の確認表示または選択表示を行うユニットをさらに備えることを特徴とする請求項２に記載の磁気共鳴イメージング装置。
【請求項１２】
被検体からの磁気共鳴信号を受信する複数の要素コイルが配列されたアレイコイルと、
マルチスピンエコー法においてツイスター付きの傾斜磁場をそれぞれ異なる強度で印加しつつ、これら強度の異なる複数の傾斜磁場それぞれの印加下で前記磁気共鳴信号を前記複数の要素コイルそれぞれに受信させるシーケンスを実行するスキャンコントローラと、
前記複数の要素コイルそれぞれに関して、前記複数の傾斜磁場それぞれの印加下でそれぞれ受信された複数の磁気共鳴信号の中の特定の磁気共鳴信号に基づいて投影データを計算する計算ユニットと、
前記複数の要素コイルそれぞれの前記投影データに基づいて、前記複数の要素コイルそれぞれの位置あるいは前記アレイコイルの位置を判定する判定ユニットとを具備したことを特徴とする磁気共鳴イメージング装置。
【請求項１３】
前記計算ユニットは、閾値処理により前記複数の磁気共鳴信号の中から前記投影データの計算に用いる磁気共鳴信号を特定することを特徴とする請求項１２に記載の磁気共鳴イメージング装置。
【請求項１４】
前記磁気共鳴イメージング装置は、複数の前記アレイコイルを互いに連結した状態で使用可能であり、
前記計算ユニットは、前記複数のアレイコイルに含まれる複数の要素コイルそれぞれに関して前記投影データを計算し、
前記判定ユニットは、前記複数の要素コイルそれぞれの前記投影データと前記複数のアレイコイルの連結状態とに基づいて前記複数のアレイコイルにそれぞれ含まれる前記複数の要素コイルそれぞれの位置あるいは前記複数のアレイコイルそれぞれの位置を判定することを特徴とする請求項１２に記載の磁気共鳴イメージング装置。
【請求項１５】
前記計算ユニットは、規定強度以上の磁気共鳴信号を受信できた要素コイルに関してのみ前記投影データを計算することを特徴とする請求項１２に記載の磁気共鳴イメージング装置。
【請求項１６】
前記判定ユニットは、前記複数の要素コイルそれぞれの前記投影データのうちの規定強度以上の磁気共鳴信号を受信できた要素コイルに関する前記投影データのみを前記判定に用いることを特徴とする請求項１２に記載の磁気共鳴イメージング装置。
【請求項１７】
前記計算ユニットおよび前記判定ユニットのうちの少なくとも１つは、傾斜磁場の非線形性あるいは静磁場の不均一性によるエラーの大きなデータは処理に使用しないことを特徴とする請求項１２に記載の磁気共鳴イメージング装置。
【請求項１８】
前記判定ユニットは、傾斜磁場の非線形性あるいは静磁場の不均一性によるエラーの大きなデータに基づいて判定した位置を、傾斜磁場の非線形性あるいは静磁場の不均一性を考慮して補正することを特徴とする請求項１２に記載の磁気共鳴イメージング装置。
【請求項１９】
前記判定ユニットによる判定結果に基づいて、ユーザーインターフェース上にてコイル位置の確認表示または選択表示を行うユニットをさらに備えることを特徴とする請求項１２に記載の磁気共鳴イメージング装置。
【請求項２０】
被検体からの磁気共鳴信号をそれぞれ受信する複数の要素コイルが配列されたアレイコイルと、
前記被検体あるいは前記アレイコイルを移動させる移動ユニットと、
前記被検体あるいは前記アレイコイルを前記移動ユニットにより移動させながら前記磁気共鳴信号を前記複数の要素コイルそれぞれに受信させるシーケンスを実行するスキャンコントローラと、
前記複数の要素コイルそれぞれで受信された複数の磁気共鳴信号に基づいて前記複数の要素コイルの配列方向についての各要素コイルの投影データをそれぞれ計算する計算ユニットと、
前記複数の要素コイルそれぞれの前記投影データに基づいて、前記複数の要素コイルそれぞれの位置あるいは前記アレイコイルの位置を判定する判定ユニットとを具備することを特徴とする磁気共鳴イメージング装置。
【請求項２１】
前記磁気共鳴イメージング装置は、複数の前記アレイコイルを互いに連結した状態で使用可能であり、
前記計算ユニットは、前記複数のアレイコイルに含まれる複数の要素コイルそれぞれに関して前記投影データを計算し、
前記判定ユニットは、前記複数の要素コイルそれぞれの前記投影データと前記複数のアレイコイルの連結状態とに基づいて前記複数のアレイコイルにそれぞれ含まれる前記複数の要素コイルそれぞれの位置あるいは前記複数のアレイコイルそれぞれの位置を判定することを特徴とする請求項２０に記載の磁気共鳴イメージング装置。
【請求項２２】
前記計算ユニットは、規定強度以上の磁気共鳴信号を受信できた要素コイルに関してのみ前記投影データを計算することを特徴とする請求項２０に記載の磁気共鳴イメージング装置。
【請求項２３】
前記判定ユニットは、前記複数の要素コイルそれぞれの前記投影データのうちの規定強度以上の磁気共鳴信号を受信できた要素コイルに関する前記投影データのみを前記判定に用いることを特徴とする請求項２０に記載の磁気共鳴イメージング装置。
【請求項２４】
前記移動ユニットは、前記磁気共鳴信号の受信を行うときには前記被検体あるいは前記アレイコイルの移動を停止し、複数回の前記磁気共鳴信号の受信の合間に前記被検体あるいは前記アレイコイルを移動させることを特徴とする請求項２０に記載の磁気共鳴イメージング装置。
【請求項２５】
前記移動ユニットは、複数回の前記磁気共鳴信号の受信が行われているときに前記被検体あるいは前記アレイコイルを移動させることを特徴とする請求項２０に記載の磁気共鳴イメージング装置。
【請求項２６】
前記計算ユニットおよび前記判定ユニットのうちの少なくとも１つは、傾斜磁場の非線形性あるいは静磁場の不均一性によるエラーの大きなデータは処理に使用しないことを特徴とする請求項２０に記載の磁気共鳴イメージング装置。
【請求項２７】
前記判定ユニットは、傾斜磁場の非線形性あるいは静磁場の不均一性によるエラーの大きなデータに基づいて判定した位置を、傾斜磁場の非線形性あるいは静磁場の不均一性を考慮して補正することを特徴とする請求項２０に記載の磁気共鳴イメージング装置。
【請求項２８】
前記判定ユニットによる判定結果に基づいて、ユーザーインターフェース上にてコイル位置の確認表示または選択表示を行うユニットをさらに備えることを特徴とする請求項２０に記載の磁気共鳴イメージング装置。
【発明の詳細な説明】
【技術分野】
【０００１】
本発明は、複数の要素コイルを配列して形成されたアレイコイルを使用して磁気共鳴信号を受信する磁気共鳴イメージング装置に関する。
【背景技術】
【０００２】
複数の要素コイルを配列して形成されたアレイコイルを用いて、パラレルイメージングを効率的に行う方法が知られている。
【０００３】
このパラレルイメージングにおいては、アレイコイルの位置を考慮することによってパフォーマンスを向上させることが可能である。例えば非特許文献１には、「Mode Matrix」を用いて、多数のアレイコイルを用いたパラレルイメージングまたは一般イメージングを効率的に行う技術が開示されている。
【０００４】
受信コイルの位置を求める技術としては、特許文献１に開示されたものが知られている。特許文献１には、受信コイルの中心部にマーカを取付け、このマーカからのＮＭＲ（nuclear magnetic resonance）信号を収集し、この収集したＮＭＲ信号からマーカの位置を求める技術が開示されている。また、特別なコイル位置検出用の機構を設ける方法も特許文献２により提案されている。
【特許文献１】特開平７−１２４１３５号公報
【特許文献２】特公平５−４１２５６号公報
【非特許文献１】A. Reykowski, M. Blasche,  Mode Matrix - A Generalized Signal Combiner For Parallel Imaging Arrays, ISMRM 2004, p.1587
【発明の開示】
【発明が解決しようとする課題】
【０００５】
特許文献１の技術によれば、受信コイルの位置を精度良く求めることができる。しかしながら、マーカが取り付けられていない受信コイルの位置は検出することができない。また特許文献１の方法は、機構的に複雑であり、多くのコイルの位置検出に適用するのは困難である。
【０００６】
本発明はこのような事情を考慮してなされたものであり、その目的とするところは、マーカのような位置検出用の仕組みを備えていないコイルユニットの位置、あるいはこのようなコイルユニットに含まれた複数の要素コイルのそれぞれの位置を正確に判定できる磁気共鳴イメージング装置を提供することにある。
【課題を解決するための手段】
【０００７】
本発明の第１の態様による磁気共鳴イメージング装置は、被検体からの磁気共鳴信号をそれぞれ受信する複数の要素コイルが配列されたアレイコイルと、前記複数の要素コイルそれぞれで受信された複数の磁気共鳴信号に基づいて前記複数の要素コイルの配列方向についての各要素コイルの投影データをそれぞれ計算する計算ユニットと、前記複数の要素コイルそれぞれの前記投影データに基づいて、前記複数の要素コイルそれぞれの位置あるいは前記アレイコイルの位置を判定する判定ユニットとを具備する。
【０００８】
本発明の第２の態様による磁気共鳴イメージング装置は、被検体からの磁気共鳴信号をそれぞれ受信する複数の要素コイルが配列されたアレイコイルと、前記複数の要素コイルそれぞれで受信された複数の磁気共鳴信号に基づいて前記複数の要素コイルの配列方向についての各要素コイルの投影データをそれぞれ計算する計算ユニットと、前記複数の要素コイルそれぞれの投影データおよび前記複数の要素コイルの配列に関する既知の情報に基づいて、前記複数の要素コイルそれぞれの位置あるいは前記アレイコイルの位置を判定する判定ユニットとを具備する。
【０００９】
本発明の第３の態様による磁気共鳴イメージング装置は、被検体からの磁気共鳴信号を受信する複数の要素コイルが配列されたアレイコイルと、マルチスピンエコー法においてツイスター付きの傾斜磁場をそれぞれ異なる強度で印加しつつ、これら強度の異なる複数の傾斜磁場それぞれの印加下で前記磁気共鳴信号を前記複数の要素コイルそれぞれに受信させるシーケンスを実行するスキャンコントローラと、前記複数の要素コイルそれぞれに関して、前記複数の傾斜磁場それぞれの印加下でそれぞれ受信された複数の磁気共鳴信号の中の特定の磁気共鳴信号に基づいて投影データを計算する計算ユニットと、前記複数の要素コイルそれぞれの前記投影データに基づいて、前記複数の要素コイルそれぞれの位置あるいは前記アレイコイルの位置を判定する判定ユニットとを具備する。
【００１０】
本発明の第４の態様による磁気共鳴イメージング装置は、被検体からの磁気共鳴信号をそれぞれ受信する複数の要素コイルが配列されたアレイコイルと、前記被検体あるいは前記アレイコイルを移動させる移動ユニット、前記被検体あるいは前記アレイコイルを前記移動ユニットにより移動させながら前記磁気共鳴信号を前記複数の要素コイルそれぞれに受信させるシーケンスを実行するスキャンコントローラと、前記複数の要素コイルそれぞれで受信された複数の磁気共鳴信号に基づいて前記複数の要素コイルの配列方向についての各要素コイルの投影データをそれぞれ計算する計算ユニットと、前記複数の要素コイルそれぞれの前記投影データに基づいて、前記複数の要素コイルそれぞれの位置あるいは前記アレイコイルの位置を判定する判定ユニットとを具備する。
【発明の効果】
【００１１】
本発明によれば、マーカのような位置検出用の仕組みを備えていないコイルユニットの位置、あるいはこのようなコイルユニットに含まれた複数の要素コイルのそれぞれの位置を正確に判定可能となる。
【発明を実施するための最良の形態】
【００１２】
以下、図面を参照して本発明の一実施形態について説明する。
【００１３】
図１は本実施形態に係る磁気共鳴イメージング装置（ＭＲＩ装置）１００の構成を示す図である。ＭＲＩ装置１００は、静磁場磁石１、傾斜磁場コイル２、傾斜磁場電源３、寝台４、寝台制御部５、ＲＦコイルユニット６ａ，６ｂ、送信部７、選択回路８、受信部９および計算機システム１０を具備する。
【００１４】
静磁場磁石１は、中空の円筒形をなし、内部の空間に一様な静磁場を発生する。この静磁場磁石１としては、例えば永久磁石、超伝導磁石等が使用される。
【００１５】
傾斜磁場コイル２は、中空の円筒形をなし、静磁場磁石１の内側に配置される。傾斜磁場コイル２は、互いに直交するＸ，Ｙ，Ｚの各軸に対応する３種のコイルが組み合わされている。傾斜磁場コイル２は、上記の３種のコイルが傾斜磁場電源３から個別に電流供給を受けて、磁場強度がＸ，Ｙ，Ｚの各軸に沿って傾斜する傾斜磁場を発生する。なお、Ｚ軸方向は、例えば静磁場方向と同方向とする。Ｘ，Ｙ，Ｚ各軸の傾斜磁場は、例えば、スライス選択用傾斜磁場Ｇs、位相エンコード用傾斜磁場Ｇeおよびリードアウト用傾斜磁場Ｇrにそれぞれ対応される。スライス選択用傾斜磁場Ｇsは、任意に撮影断面を決めるために利用される。位相エンコード用傾斜磁場Ｇeは、空間的位置に応じて磁気共鳴信号の位相を変化させるために利用される。リードアウト用傾斜磁場Ｇrは、空間的位置に応じて磁気共鳴信号の周波数を変化させるために利用される。
【００１６】
被検体２００は、寝台４の天板４１に載置された状態で傾斜磁場コイル２の内部の空間（撮像空間）内に挿入される。寝台４は、寝台制御部５の制御の下に、天板４１をその長手方向（図１中における左右方向）および上下方向に移動させる。通常、この長手方向が静磁場磁石１の中心軸と平行になるように寝台４が設置される。
【００１７】
ＲＦコイルユニット６ａは、１つまたは複数のコイルを円筒状のケースに収容して構成される。ＲＦコイルユニット６ａは、傾斜磁場コイル２の内側に配置される。ＲＦコイルユニット６ａは、送信部７から高周波パルス（ＲＦパルス）の供給を受けて、高周波磁場を発生する。
【００１８】
ＲＦコイルユニット６ｂは、天板４１上に載置されたり、天板４１に内蔵されたり、あるいは被検体２００に装着される。そして撮影時には、被検体２００とともに撮像空間内に挿入される。ＲＦコイルユニット６ｂとしては、様々なタイプのものが任意に装着可能である。また受信用のＲＦコイルユニットは、１つまたは３つ以上が装着されても良い。ＲＦコイルユニット６ｂは、それぞれ少なくとも１つの要素コイルを備える。ＲＦコイルユニット６ｂに備えられた要素コイルはそれぞれ、被検体２００から放射される磁気共鳴信号を受信する。要素コイルのそれぞれの出力信号は、個別に選択回路８に入力される。なお、選択回路８に同時に接続可能な要素コイルの数を、以下ではｍと示す。このｍは、例えば「１２８」である。
【００１９】
送信部７は、ラーモア周波数に対応するＲＦパルスをＲＦコイルユニット６ａに供給する。
【００２０】
選択回路８は、ＲＦコイルユニット６ｂから出力される最大ｍチャネルの磁気共鳴信号から任意の１乃至ｎチャネルの磁気共鳴信号を選択する。ただし、ｎは、ｍよりも小さな正数であり、例えば「３２」である。そして選択回路８は、選択した磁気共鳴信号を受信部９へ与える。どのチャネルを選択するかは、計算機システム１０から指示される。
【００２１】
受信部９は、増幅器、位相検波器およびアナログディジタル変換器を有する処理系をｎチャネル備えている。これらｎチャネルの処理系へは、選択回路８が選択する最大ｎチャネルの磁気共鳴信号がそれぞれ入力される。増幅器は、磁気共鳴信号を増幅する。位相検波器は、増幅器から出力される磁気共鳴信号の位相を検波する。アナログディジタル変換器は、位相検波器から出力される信号をディジタル信号に変換する。受信部９は、各処理系により得られる最大ｎチャネルのディジタル信号をそれぞれ出力する。
【００２２】
計算機システム１０は、インタフェース部１１、データ収集部１２、再構成部１３、記憶部１４、表示部１５、入力部１６および主制御部１７を有している。
【００２３】
インタフェース部１１には、傾斜磁場電源３、寝台制御部５、送信部７、選択回路８および受信部９等が接続される。インタフェース部１１は、これらの接続された各部と計算機システム１０との間で授受される信号の入出力を行う。
【００２４】
データ収集部１２は、受信部９から出力されるディジタル信号を収集する。データ収集部１２は、収集したディジタル信号、すなわち磁気共鳴信号データを、記憶部１４に格納する。
【００２５】
再構成部１３は、記憶部１４に記憶された磁気共鳴信号データに対して、後処理、すなわちフーリエ変換等の再構成を実行し、被検体２００内の所望核スピンのスペクトラムデータあるいは画像データを求める。また再構成部１３は、主制御部１７から指定される特定要素コイルで受信された磁気共鳴信号に関した磁気共鳴信号データに基づいて、要素コイルの配列方向の投影データをそれぞれ生成する。
【００２６】
記憶部１４は、磁気共鳴信号データと、スペクトラムデータあるいは画像データとを、被検者毎に記憶する。
【００２７】
表示部１５は、スペクトラムデータあるいは画像データ等の各種の情報を主制御部１７の制御の下に表示する。表示部１５としては、液晶表示器などの表示デバイスを利用可能である。
【００２８】
入力部１６は、オペレータからの各種指令や情報入力を受け付ける。入力部１６としては、マウスやトラックボールなどのポインティングデバイス、モード切替スイッチ等の選択デバイス、あるいはキーボード等の入力デバイスを適宜に利用可能である。
【００２９】
主制御部１７は、図示していないＣＰＵやメモリ等を有しており、ＭＲＩ装置１００を総括的に制御する。主制御部１７は、ＲＦコイルユニット６ｂとして、複数の要素コイルを配列して形成されたアレイコイルが利用される場合に、その位置を判定するためのスキャン（以下、位置判定プレスキャンと称する）を制御する機能や、位置判定プレスキャンの結果に基づいてアレイコイルの位置を判定する機能を備える。位置判定プレスキャンを制御する機能には、アレイコイルに含まれる要素コイルのうちから位置判定プレスキャンのために使用する特定要素コイルを選択する機能と、位置判定プレスキャンの条件を、特定要素コイルでの受信にてオーバーフローを生じさせないように設定する機能とを含む。位置を判定する機能には、特定要素コイルのそれぞれの位置を、各特定要素について得られた投影データに基づいて推定する機能と、特定要素コイルのそれぞれに関して推定された位置および複数の要素コイルの配列状態に関する既知の情報とに基づいてアレイコイルの位置を判定する機能とを含む。なお、既知の情報は、典型的には物理的な数値である。物理的な数値は、典型的には要素コイルどうしの間隔である。
【００３０】
図２はＲＦコイルユニット６ｂの装着例を示す図である。なお、図１と同一部分には同一符号を付し、その詳細な説明は省略する。
【００３１】
図２に示す例では、５つのＲＦコイルユニット６ｂが装着されている。なお、これらのＲＦコイルユニット６ｂのそれぞれを区別する必要が有る場合には、それぞれをＲＦコイルユニット6b-1，6b-2，6b-3，6b-4，6b-5と記すこととする。ＲＦコイルユニット6b-1は頭部用コイルであり、天板４１上の任意の位置に載置されて被検体２００の頭部が挿入されるか、被検体２００の頭部に装着されて被検体２００とともに天板４１上に載置される。ＲＦコイルユニット6b-2，6b-3はそれぞれ腹部用コイルであり、被検体２００の身体の表面側に装着される。ＲＦコイルユニット6b-4，6b-5は脊椎用コイルであり、天板４１上の任意の位置に載置されてその上に被検体２００が仰向けに載置されるか、被検体２００の背面側に装着されて被検体２００とともに天板４１上に載置される。かくして、これらのＲＦコイルユニット６ｂは、天板４１上に載置される位置が不定である。ＲＦコイルユニット６ｂとしては、このほかに膝などの各部位ごとに最適化したものが使用されることもある。
【００３２】
ＲＦコイルユニット6b-2，6b-3，6b-4，6b-5は、図２および図３に示すように、それぞれ複数の要素コイル６１（ここでは４つ）を一方向に一定間隔で配列して形成されている。ＲＦコイルユニット6b-2，6b-3，6b-4，6b-5は、図２に示すように要素コイル６１の配列方向とＺ軸方向とが一致する姿勢で使用される。なお図３は、ＲＦコイルユニット6b-2，6b-3における要素コイル６１の配列状況を示す斜視図である。
【００３３】
ＲＦコイルユニット6b-2，6b-3は、それぞれが個別に任意の位置に装着することも可能であるし、機械的な連結機構によって互いに連結されて、一定の間隔を保って装着することも可能である。これは、ＲＦコイルユニット6b-4，6b-5についても同様である。
【００３４】
要素コイル６１は、更に複数のコイルを結合して形成されることもある。３〜４個程度の複数のコイルを結合しなおして使うMode Matrixと呼ばれる方式も提案されている（非特許文献１を参照）。このMode Matrixにおける結合単位も、要素コイルと同様に扱える。
【００３５】
さて、図２における符号２１は、静磁場磁石１、傾斜磁場コイル２およびＲＦコイルユニット６ａを収容した架台を示す。架台２１内部の撮像空間のうち、実際に撮像に利用する撮像利用範囲は符号２２を付して示すように一部のみである。ＲＦコイルユニット6b-2，6b-3，6b-4，6b-5は、撮像利用範囲２２よりも大きく、一部の要素コイル６１のみが撮像利用範囲２２内に位置し得る。図２の例では、ＲＦコイルユニット6b-2，6b-3のそれぞれの第２乃至第４の要素コイル６１が撮像利用範囲２２内に位置している。すなわち、図２に示す状態においては、撮像利用範囲２２内に位置している要素コイル６１が実際の撮像に使用される。このため、アレイコイルの多チャンネル化が進むほど、ＲＦコイルユニットの位置、あるいは各要素コイル６１の位置を知って、撮像に使用する要素コイルの適切な選択を行うことが必要になる。
【００３６】
(1)  要素コイル６１の位置の判定
そこでＭＲＩ装置１００では、天板４１上での位置が不定であるＲＦコイルユニット６ｂが有る場合に、そのＲＦコイルユニット６ｂに含まれる要素コイル６１のそれぞれの位置を以下に説明するようにして判定する。この位置の判定は、天板４１上での位置が不定であるＲＦコイルユニット６ｂのみを対象として行えば良く、脊椎用コイルのように天板４１に固定されるタイプのＲＦコイルユニット６ｂについては対象外とする。
【００３７】
主制御部１７はまず、位置判定プレスキャンを実行させる。位置判定プレスキャンは、ＵＳＰ５，９３６，４０６に開示された技術を利用できる。すなわち、位置判定プレスキャンは、ＲＦコイルユニット６ｂでの要素コイル６１の配列方向に、すなわち図４に示すシーケンスによりＺ軸方向に傾斜磁場をかけながら、当該方向の投影データを得る。この場合、撮像利用範囲２２内に位置する要素コイル６１によって受信された磁気共鳴信号に基づいた投影データは、例えば図５に示すように要素コイル６１の大まかな位置を表す。そこで主制御部１７は、例えば予め定められた閾値を使用して両端座標Ｃ１,Ｃ２を求める。さらに主制御部１７は、両端座標Ｃ１,Ｃ２の中点となる座標Ｃ３を要素コイル６１の中心座標として推定する。
【００３８】
なお、撮像利用範囲２２外に位置している要素コイル６１からは、磁気共鳴信号が出力されないか、あるいは小さな磁気共鳴信号しか出力されない。そこで主制御部１７は、このような要素コイル６１からの出力信号は無視し、有意な信号を出力した要素コイル６１に関してのみ位置の推定を行う。要素コイル６１からの出力信号を無視するに当たっては、該当信号に基づく投影データの作成を行わないようにしても良いし、該当信号から生成された投影データに基づく中心座標の推定を行わないようにしても良いし、該当信号を出力した要素コイル６１に関して推定された中心座標を各要素コイル６１の位置の判定のために利用しないようにしても良い。また、有意な信号を出力した全ての要素コイル６１に関して位置の推定を行う必要はなく、そのような要素コイル６１のうちの一部に関してのみ位置の推定を行っても良い。
【００３９】
図６はＲＦコイルユニット6b-4の４つの要素コイル６１のそれぞれに関して得られた投影データの一例を示す図である。なお４つの要素コイル６１の間隔は１２０ｍｍである。標準的な体格の健常者を被検体２００とし、図４に示したパルスシーケンスを使用し、サジタル撮像（左右方向投影）、５０ｃｍ厚（実質非選択励起）で取得したものである。なお，読み出し方向のオーバーサンプリング収集による折返し防止はもちろん併用したほうがよい。
【００４０】
この投影データに基づいて４つの要素コイル６１のそれぞれについて上記のように推定される中心座標は、第１チャネルｃｈ１の中心座標を基準として、図７に示すように０ｍｍ、１０９ｍｍ、２３９ｍｍおよび３３１ｍｍである。ただしここでは、投影データに対して、閾値処理した後のピークの面積の中心をもって要素コイル６１の中心座標の推定値とした。ここでは、投影データのピークの半値幅で上記の閾値処理をしている。
【００４１】
上記の推定値に基づく隣接する要素コイル６１どうしの間隔は、１０９ｍｍ、１３０ｍｍ、９２ｍｍとなり、１２０ｍｍという既知情報と一致しない。つまり、上記のように推定される中心位置は、要素コイル６１のそれぞれの位置を正確に推定できていない。そこで主制御部１７は、４つの中心座標の平均値として求まる座標（１７０ｍｍ）を基準座標として、さらに要素コイル６１の間隔が１２０ｍｍであるという既知情報とに基づいて４つの要素コイル６１のそれぞれの中心座標を次のような計算により判定する。
【００４２】
第１のチャネルｃｈ１：１７０−１２０＊１．５＝−１０ｍｍ
第２のチャネルｃｈ２：１７０−１２０＊０．５＝１１０ｍｍ
第３のチャネルｃｈ３：１７０＋１２０＊０．５＝２３０ｍｍ
第４のチャネルｃｈ４：１７０＋１２０＊１．５＝３５０ｍｍ
このようにして、要素コイル６１のそれぞれについて推定された中心座標の相対的な関係と、既知である要素コイル６１の間隔とに基づいて要素コイル６１のそれぞれの位置を判定するので、より高精度に要素コイル６１の位置を判定することができる。すなわち、一つ一つの要素コイル６１の位置を個別に求めるよりも、ロバストな推定が可能になる。
【００４３】
なお、ここではＲＦコイルユニット6b-4に含まれた要素コイル６１の位置判定のみについて説明したが、他のＲＦコイルユニット６ｂについても同様にして位置判定を行う。ただし、機械的な連結機構によって互いに連結された複数のＲＦコイルユニット６ｂに関しては、それらに含まれる要素コイル６１の位置を上記の処理によってまとめて判定することも可能である。
【００４４】
例えば、ＲＦコイルユニット6b-2，6b-3が、それぞれの端部に位置する要素コイル６１どうしの間隔が１２０ｍｍとなるように互いに連結されているとする。このときに例えば図２のようにＲＦコイルユニット6b-2のみが撮像利用範囲２２に入っているならば、ＲＦコイルユニット6b-3に含まれた要素コイル６１の位置を判定するための情報を得ることができない。しかしながら、上述のようにしてＲＦコイルユニット6b-2の第２乃至第４チャネルｃｈ２〜ｃｈ４の要素コイル６１それぞれの中心座標が１１８ｍｍ，−２ｍｍ，−１２２ｍｍとしてそれぞれ推定されたとするならば、ＲＦコイルユニット6b-2の第１チャネルｃｈ１の要素コイル６１の中心座標が２３８ｍｍと判定でき、またＲＦコイルユニット6b-3の各チャネルの要素コイル６１それぞれの中心座標が−２４２ｍｍ，−３６２ｍｍ，−４８２ｍｍ，−６０２ｍｍとそれぞれ判定できる。
【００４５】
また例えば、ＲＦコイルユニット6b-2，6b-3それぞれの端部のみが撮像利用範囲２２に入っているならば、ＲＦコイルユニット6b-2に含まれた少なくとも１つの要素コイル６１について推定される位置と、ＲＦコイルユニット6b-3に含まれた少なくとも１つの要素コイル６１について推定される位置とに基づいてＲＦコイルユニット6b-2，6b-3の各要素コイル６１それぞれの位置を判定することができる。
【００４６】
位置が不定であるＲＦコイルユニット６ｂに含まれる要素コイル６１の数が受信部９が持つ受信チャネル数を上回る場合には、位置判定プレスキャンにおいて該当する全ての要素コイル６１の受信信号を収集することができない。このような場合には、位置が不定であるＲＦコイルユニット６ｂのそれぞれに、受信チャネルを割り当てるようにする。例えばシステムの受信可能チャンネル数が「１６」で、位置が不定であるＲＦコイルユニット６ｂの数が「５」であれば、この５つのＲＦコイルユニット６ｂに３チャネルずつを割り当てれば良い。
【００４７】
主制御部１７は、このようにして判定した要素コイル６１の位置を、スキャンプランなど撮像の条件設定を行うユーザーインターフェース上にて表示させる。この表示は、例えば図２に示されるような模式的な図を用いることができる。この表示は、要素コイル６１の位置を操作者に確認させるためだけに行うものであっても良いし、撮像に使用する要素コイル６１の選択を操作者におこなせるために行うものであっても良い。
【００４８】
このような表示を行うことによって、要素コイル６１の位置を操作者が容易かつ的確に知ることができるようになる。
【００４９】
なおここでは、各要素コイル６１の位置は、要素コイルの受信信号から推定された位置情報および既知情報（物理的位置情報、要素コイルの間隔、コイルユニット中心からコイルエレメント中心までの距離など）に基づいて判定されるために、静磁場の中心からの相対的位置として判定される。そこで表示に当たっては、天板４１に対する相対位置に換算しても良い。
【００５０】
(2)  ＲＦパワーの設定
上記のような位置判定は、検査のできるだけ早いタイミングで行うことが望ましい。ＭＲＩ装置では一般に、被検体２００のセッティングを終えた後に、関心領域を磁場中心に移動し、ＲＦパワーの調整や受信ゲインの調整などのための通常の一連のプレスキャンが行われる、ＭＲＩ装置１００では、これらの通常のプレスキャンに先立って、位置判定プレスキャンを行うようにする。この場合に主制御部１７は、位置判定プレスキャンにおけるＲＦパワーは、入力部１６から入力された被検体２００の体重と、予め準備した体重別ＲＦテーブルとに従って、被検体２００の体重に応じた適切な値に設定する。
【００５１】
(3)  オーバーフローの防止によるロバスト性の向上
被検体２００となる被検者の体格は千差万別であり、要素コイル６１で受信される磁気共鳴信号の大きさもバリエーションが大きい。また例えば、肺野部を含んだ胸部や、正中では無信号に近い下肢では、磁気共鳴信号が少ない傾向があるなどのように、撮像対象に応じても要素コイル６１で受信される磁気共鳴信号の大きさが変化する。このような事情を考慮して、位置判定に有用な磁気共鳴信号を確実に受信できるように、前述した位置判定プレスキャンにおけるスライス厚みを５０ｃｍ厚（実質非選択励起）としている。しかしながら、放射される磁気共鳴信号が大きすぎても、オーバーフローが発生するために好ましくない。そこで以下に示すような方法のいずれかによって、位置判定に使用する磁気共鳴信号のレベルを適正に調整しても良い。
【００５２】
(3-1)  入力部１６から入力された被検体２００の体重と、予め準備した体重別受信ゲインテーブルとに従って、被検体２００の体重に応じた適切な受信ゲインを設定する。
【００５３】
(3-2)  受信ゲインを変えながら磁気共鳴信号を複数回受信し、これにより得られた複数の信号のうちでオーバーフローしない信号を使用する。
【００５４】
(3-3)  スライス厚を変えながら磁気共鳴信号を複数回受信し、これにより得られた複数の信号のうちでオーバーフローしない信号を使用する。
【００５５】
(3-4)  ＴＲ（パルスシーケンスの繰り返し時間）を変えながら磁気共鳴信号を複数回受信し、これにより得られた複数の信号のうちでオーバーフローしない信号を使用する。
【００５６】
(3-5)  撮像領域全体にわたって、プレサチュレーションパルスやインバージョンパルスを印加した後に、位置判定に使用するためのデータ収集を行う。
【００５７】
(3-6)  ツイスター付マルチエコーシーケンスを位置判定プリスキャンのシーケンスとして採用する。
【００５８】
なお、(3-3)や(3-4)の方法では、スライス厚やＴＲ以外の撮像条件を変更することも可能である。
【００５９】
これらの方法のいずれかを採用することにより、位置判定に使用する磁気共鳴信号のレベルを適正に調整することができる。しかしながら、(3-1)の方法では、被検体２００の体重についての入力情報が正確でないと受信エラーを起こす可能性があり、また(3-2)乃至(3-4)の方法では、収集時間が長くなってしまう。(3-4)の方法では更に、被検体２００に関する緩和時間Ｔ1に依存するために、受信信号強度のコントロールがしにくい。
【００６０】
このようなことから、(3-6)の方法が他の方法よりも優れる。そこで以下、(3-6)の方法について詳細に説明する。
【００６１】
図８はツイスター付マルチエコーシーケンスのタイミング図である。
【００６２】
このシーケンスでは、微小なスライス方向ツイスターＴＷを累積的に印加する。ＳＥ（spin echo）系では、ツイスターＴＷの符号は正負交互にする必要がある。ツイスターＴＷの大きさは、マルチエコー分累積されてもスライス厚みの１エンコード分以下から１エンコード分程度にする（δエンコードとする）。もちろん、累積的な印加でなく、エコーごとに反転パルスで効果をリセットして、次のエコーにて所望の量のスポイラーを印加しても良い。
【００６３】
例えば、スライス厚みをＷ、ツイスターＴＷの傾斜磁場強度をＧ、印加時間をＴとするとき、γＧＴＷ＝δが成り立つので、δ＝０．２、Ｗ＝０．５ｍ、Ｔ＝１ｍｓとすると、
γＧ＝０．２／（（１／１０００）×（０．５））＝４００［Ｈｚ／ｍ］
Ｇ＝４００／（４３．６×１０6）≒１０-5［Ｔ／ｍ］＝０．０１［ｍＴ／ｍ］
となり、ツイスターＴＷは微弱なパルスでよい。ＴＥ（エコー時間）による信号減衰もあるが、ツイスターＴＷによって確実にエコーの強度を減弱することができる。そして主制御部１７は、予め定めたオーバーフロー閾値よりも小さくなった最初のエコーを位置判定のために用いるようにする。例えば図８に示す例では、２番目のエコーが採用されることになる。
【００６４】
ちなみに、ツイスターＴＷを用いた場合、被検体２００が同一構造とした場合の粗い近似では、信号はSinc関数に従って減衰するので、相対信号量はδに対して図９に示すように変化する（減衰する）。
【００６５】
累積的なツイスター量が例えば、０，０．５，０．８，０．９となるように、実際のパルスとしてのツイスター量は、その差分に符号をつけた、０，−０．５，０．３，−０．１とすればよい。
【００６６】
このようにマルチエコーシーケンスを使用できるために繰返し励起が不要となるため、データ収集時間の延長はほとんど無視できる。例えば、ＴＥ＝１０ｍｓのシーケンスで４エコーであれば、約５０ｍｓでデータ収集を終了することができ非常に効率がよい。
【００６７】
なお、信号強度はＭＲＩ装置ごとに差がありえるので、この差を考慮してツイスター量や受信ゲインは適宜設定を変更することが望ましい。しかしながら、信号強度に違いがあったとしても、エコーが進むに従ってツイスターＴＷの効果とＴ２緩和の効果により受信信号の強度が低下し、オーバーフローしなくなるから、信号強度の差は無視しても構わない。
【００６８】
この実施形態は、次のような種々の変形実施が可能である。
【００６９】
(1)  位置判定プレスキャンは、検査開始にあたって被検体２００のセッティングを終えた後に、天板送りをしている間に行うことも可能である。
【００７０】
典型的な実現例としては、天板送りを開始する前に、あらかじめ準備した体重別ＲＦテーブルに従ってＲＦパワー設定を行う。ゲインは最小とする。そして図１０に示すように、天板４１を１８ｃｍ／ｓ程度で移動させながら、２ｓおきに、すなわち天板４１が３６０ｍｍ移動するたびに、上述のツイスター付マルチエコーシーケンスを用いてデータ収集を行う。天板４１の移動をデータ収集の度に停止しても良いが、停止することなくデータ収集を行うことも可能である。ただし、天板４１を移動させたままでデータ収集を行う場合には、データ収集中にも天板４１が９ｍｍほどの移動するので、エコーごとに位置の補正をすることが望ましい。
【００７１】
天板４１が架台２１内に挿入された時点で、最初の関心部位までの位置判定用のデータが揃う。真の全身撮影で頭頂から足先までのコイル装着位置を直接確認したい場合には、天板４１を全領域にわたって移動しながらデータ収集を行っても良い。ＲＦコイルユニット6b-2，6b-3，6b-4，6b-5は、図１０における（ａ）（ｂ）および（ｃ）の各状態でのスキャンによってＲＦコイルユニット6b-2，6b-3，6b-4，6b-5に含まれた全ての要素コイル６１の位置を判定するための投影データが収集できる。なお図１０には、各要素コイル６１に並べて、その要素コイル６１により受信される磁気共鳴信号に基づいて得られる投影データを模式的に示している。
【００７２】
主制御部１７は天板４１の位置を常に把握しておき、前述の位置判定により判定される要素コイル６１の位置と各スキャンを行った際の天板４１の位置とに基づいて各要素コイル６１の位置を判定する。
【００７３】
(2)  投影データは、コイル感度の影響を受けるため、概略Gaussianのような形状となる。この投影データが最大値をとる位置を要素コイル６１の位置の推定座標とすることもできる。あるいは、よりロバストにするために、例えば最大値の２０％程度で閾値処理を施して閾値以上の領域の中点、あるいは重心を推定座標としてもよい。あるいはGaussianでフィッティングをして、その中心座標を推定座標とすることもできる。その他、この種の一峰性の形状をもつ関数のフィッティングをしても良い。
【００７４】
(3)  傾斜磁場は、一般的に非線形性をもつ。特に近年は、傾斜磁場スリューレートアップ、最大傾斜磁場強度のアップ、あるいは大口径化などのトレードオフとして、傾斜磁場の非線形性をある程度は許容する傾向にある。そこでｚ方向の非線形性を考慮して、磁場中心から例えば±１５ｃｍ以下の領域にピークを持つデータだけを採用して位置の判定を行っても良い。この場合、上記のように天板送りをしている間に位置判定プレスキャンを行うようにするならば、１．５秒おきに２７ｃｍずつ天板４１を移動しながらデータ収集をしても良い。もちろん、非線形性の補正を行って推定データとして採用しても良い。
【００７５】
(4)  静磁場の不均一性によっても投影位置情報にエラーが生じるので、同様に補正しても良い。ここで、静磁場不均一性による位置の歪みは読み出し用傾斜磁場の強度と極性に依存するので、これらを考慮するものとする。
【００７６】
(5)  ここまでの説明では、全てＺ軸方向についての位置判定を説明したが、しかしながら、Ｚ軸方向と直交するＸ−Ｙ面方向などの他の方向に要素コイル６１が配列されているならば、それらの要素コイル６１の位置を判定することも可能である。この場合には、位置判定プレスキャンにおける読み出し方向を、要素コイル６１の配列方向の傾斜磁場とすれば良い。位置判定プレスキャンを繰り返して、Ｘ，Ｙ，Ｚのうちの複数の方向に関する位置を判定しても良い。
【００７７】
(6)  既知の情報を参照せずに、投影データのみに基づいて要素コイル６１それぞれの位置を判定しても良い。
【００７８】
(7)  要素コイル６１の配列に関する物理的な数値は、ＲＦコイルユニット６ｂの大きさを表す数値や、要素コイル６１の大きさを表す数値などの他の様々な数値であっても良いし、それら様々な数値の組み合わせであっても良い。
【００７９】
(8)  要素コイル６１の配列に関する既知の情報は、物理的な数値のみならず、要素コイル６１の配列状態を表す情報などの他の情報を含んでも良い。
【００８０】
(9)  ＲＦコイルユニット６ｂの位置を判定しても良い。
【００８１】
(10)  ＲＦコイルユニット６ｂに含まれた複数の要素コイル６１のうちの一部についてそれぞれ得られた投影データと、要素コイル６１の配列に関する既知の情報とに基づいて、上記一部の要素コイル６１以外の要素コイル６１の位置を判定することもできる。例えば、ＲＦコイルユニット6b-2の第１乃至第３チャネルｃｈ１〜ｃｈ３のそれぞれに関する投影データに基づいて第２および第３チャネルｃｈ２，ｃｈ３の要素コイル６１のそれぞれの中心座標が１１８ｍｍ，−２ｍｍとそれぞれ判定されたとするならば、第４チャネルｃｈ４の要素コイル６１の中心座標を−１２２ｍｍと判定することができる。
【００８２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００８３】
【図１】本発明の一実施形態に係る磁気共鳴イメージング装置（ＭＲＩ装置）の構成を示す図。
【図２】図１中のＲＦコイルユニットの装着例を示す図。
【図３】図２中のＲＦコイルユニットにおける要素コイルの配列状況を示す斜視図。
【図４】位置判定プレスキャンにおける基本的なパルスシーケンスを示す図。
【図５】投影データから要素コイルの中心座標を推定する原理を示す図。
【図６】図２中のＲＦコイルユニットに含まれた４つの要素コイルそれぞれに関して得られた投影データの一例を示す図。
【図７】図６から求められる各種の数値を表す図。
【図８】ツイスター付マルチエコーシーケンスのタイミング図。
【図９】ツイスターを用いた場合における相対信号量のδに対する変化を示す図。
【図１０】位置判定プレスキャンを天板送りをしている間に行う様子を示す図。
【符号の説明】
【００８４】
１…静磁場磁石、２…傾斜磁場コイル、３…傾斜磁場電源、４…寝台、５…寝台制御部、６ａ，６ｂ…ＲＦコイルユニット、７…送信部、８…選択回路、９…受信部、１０…計算機システム、１１…インタフェース部、１２…データ収集部、１３…再構成部、１４…記憶部、１５…表示部、１６…入力部、１７…主制御部、６１…要素コイル、１００…磁気共鳴イメージング装置（ＭＲＩ装置）、２００…被検体。
【図１】
2008029834.tif 000003
【図２】
2008029834.tif 000004
【図３】
2008029834.tif 000005
【図４】
2008029834.tif 000006
【図５】
2008029834.tif 000007
【図６】
2008029834.tif 000008
【図７】
2008029834.tif 000009
【図８】
2008029834.tif 000010
【図９】
2008029834.tif 000011
【図１０】
2008029834.tif 000012